(57)【特許請求の範囲】
【請求項１】
情報まとまりの単位として、
アスペクト比情報（第1のアスペクト比情報）を含むシーケンスヘッダを有する圧縮ビデオデータが分散されて格納され、それぞれにパケットヘッダが付帯された複数のビデオパックと、
オーディオデータを圧縮したオーディオ情報とそのパケットにオーディオスクランブリング情報を含むオーディオパックと、
アスペクト比情報（第２のアスペクト比情報）を含む管理情報としてのユニット制御情報パック（ＲＤＩ）と、
先頭に前記ユニット制御情報パック（ＲＤＩ）を位置させ、前記ビデオパックと前記オーディオパックの複数を含むビデオオブジェクトユニット（ＶＯＢＵ）と、
このビデオオブジェクトユニットの１つ又は複数を含むビデオオブジェクト（ＶＯＢ）とを定義している情報録再装置において、
入力ソースから前記ビデオパックを生成するビデオデコーダと、
前記入力ソースから前記オーディオパックを生成するオーディオデコーダと、
前記ビデオオブジェクトユニットを生成するフォーマッタと、
前記ビデオオブジェクトユニットを構築するに際して、前記入力ソースに含まれているアスペクト比情報（第３のアスペクト比情報）を検出し、前記ユニット制御情報パック内の前記第２のアスペクト比情報を、前記検出した第３のアスペクト比情報の内容に応答した内容にセットすると共に、
前記セットされた前記第２のアスペクト比情報を先頭に有するビデオオブジェクトユニット内の全てのビデオパックに付帯する前記第1のアスペクト比情報の内容をそれぞれ、前記検出した第３のアスペクト比情報の内容に応答した内容に統一する制御手段と、
を具備したことを特徴とするアスペクト比情報の整合処理機能付き録再装置。
【請求項２】
前記シーケンスヘッダを有する圧縮ビデオデータは、MPEG方式により圧縮されたデータであることを特徴とする請求項１記載のアスペクト比情報の整合処理機能付き録再装置。
【請求項３】
情報まとまりの単位として、
アスペクト比情報（第1のアスペクト比情報）を含むシーケンスヘッダを有する圧縮ビデオデータが分散されて格納され、それぞれにパケットヘッダが付帯された複数のビデオパックと、
オーディオデータを圧縮したオーディオ情報とそのパケットにオーディオスクランブリング情報を含むオーディオパックと、
アスペクト比情報（第２のアスペクト比情報）を含む管理情報としてのユニット制御情報パック（ＲＤＩ）と、
先頭に前記ユニット制御情報パック（ＲＤＩ）を位置させ、前記ビデオパックと前記オーディオパックの複数を含むビデオオブジェクトユニット（ＶＯＢＵ）と、
このビデオオブジェクトユニットの１つ又は複数を含むビデオオブジェクト（ＶＯＢ）とを定義している情報録再方法において、
入力ソースから前記ビデオパックを生成するステップと、
前記入力ソースから前記オーディオパックを生成するステップと、
前記ビデオオブジェクトユニットを生成するステップと、
前記ビデオオブジェクトユニットを構築するに際して、前記入力ソースに含まれているアスペクト比情報（第３のアスペクト比情報）を検出し、前記ユニット制御情報パック内の前記第２のアスペクト比情報を、前記検出した第３のアスペクト比情報の内容に応答した内容にセットすると共に、
前記セットされた前記第２のアスペクト比情報を先頭に有するビデオオブジェクトユニット内の全てのビデオパックに付帯する前記第1のアスペクト比情報の内容をそれぞれ、前記検出した第３のアスペクト比情報の内容に応答した内容に統一するステップと、
を具備したことを特徴とするアスペクト比情報の整合処理機能付き録再方法。
【請求項４】
情報まとまりの単位として、
アスペクト比情報（第1のアスペクト比情報）を含むシーケンスヘッダを有する圧縮ビデオデータが分散されて格納され、それぞれにパケットヘッダが付帯された複数のビデオパックと、
オーディオデータを圧縮したオーディオ情報とそのパケットにオーディオスクランブリング情報を含むオーディオパックと、
アスペクト比情報（第２のアスペクト比情報）を含む管理情報としてのユニット制御情報パック（ＲＤＩ）と、
先頭に前記ユニット制御情報パック（ＲＤＩ）を位置させ、前記ビデオパックと前記オーディオパックの複数を含むビデオオブジェクトユニット（ＶＯＢＵ）と、
このビデオオブジェクトユニットの１つ又は複数を含むビデオオブジェクト（ＶＯＢ）とを定義している情報録再方法において、
記録時には、
入力ソースのビデオデータを圧縮して、前記ビデオパック、前記ビデオオブジェクトユニットを構築するに際して、前記入力ソースに含まれているアスペクト比情報（第３のアスペクト比情報）を検出し、前記ユニット制御情報パック内の前記第２のアスペクト比情報を、前記検出した第３のアスペクト比情報の内容に応答した内容にセットすると共に、
前記セットされた前記第２のアスペクト比情報を先頭に有するビデオオブジェクトユニット内の全てのビデオパックに付帯する前記第1のアスペクト比情報の内容をそれぞれ、前記検出した第３のアスペクト比情報の内容に応答した内容に統一するステップと、
このステップでされたビデオオブジェクトユニットを記録媒体に記録するステップと、
を有し、
再生時には、
前記シーケンスヘッダに含まれるアスペクト比情報のみを参照して、当該シーケンスヘッダが属するビデオオブジェクトユニット内のビデオデータのエンコード出力のアスペクト比を設定することを特徴とする情報録再方法。
【請求項５】
情報まとまりの単位として、
アスペクト比情報（第1のアスペクト比情報）を含むシーケンスヘッダを有する圧縮ビデオデータが分散されて格納され、それぞれにパケットヘッダが付帯された複数のビデオパックと、
オーディオデータを圧縮したオーディオ情報とそのパケットにオーディオスクランブリング情報を含むオーディオパックと、
アスペクト比情報（第２のアスペクト比情報）を含む管理情報としてのユニット制御情報パック（ＲＤＩ）と、
先頭に前記ユニット制御情報パック（ＲＤＩ）を位置させ、前記ビデオパックと前記オーディオパックの複数を含むビデオオブジェクトユニット（ＶＯＢＵ）と、
このビデオオブジェクトユニットの１つ又は複数を含むビデオオブジェクト（ＶＯＢ）とを定義している情報録再装置において、
入力ソースから前記ビデオパックを生成するビデオデコーダと、
前記入力ソースから前記オーディオパックを生成するオーディオデコーダと、
前記ビデオオブジェクトユニットを生成するフォーマッタと、
前記ビデオオブジェクトユニットを構築するに際して、前記入力ソースに含まれているアスペクト比情報（第３のアスペクト比情報）を検出し、前記ユニット制御情報パック内の前記第２のアスペクト比情報を、前記検出した第３のアスペクト比情報の内容に応答した内容にセットすると共に、
前記セットされた前記第２のアスペクト比情報を先頭に有するビデオオブジェクトユニット内の全てのビデオパックに付帯する前記第1のアスペクト比情報の内容をそれぞれ、前記検出した第３のアスペクト比情報の内容に応答した内容にセットする第1の制御手段と、
前記ビデオオブジェクトユニットを複数集合させた前記ビデオオブジェクトを管理するためのビデオオブジェクト管理手段と、
前記ビデオオブジェクト管理手段がオブジェクト管理情報を作成するに際して、複数の前記ユニット制御情報パックの各アスペクト比情報が４：３あるいは１６：９を示す中で、いずれが多いかを判定する判定手段と、
前記判定手段で多いほうと判定された内容のアスペクト比情報の内容に応答した内容となるように、前記オブジェクト管理情報内のアスペクト比情報をセットする第２の制御手段と
を有したことを特徴とする制限情報整合処理機能付き録再装置。
【発明の詳細な説明】
【０００１】
【発明の属する技術分野】
この発明は、例えばアスペクト比情報に関して、データ単位の小さな単位のまとまりと、これを含む大きな単位のまとまり間で整合性が得られるようにした制限情報の整合処理機能付き録再装置に関する。
【０００２】
この発明が適用される録再装置としては、例えばＤＶＤ（デジタル・バーサタイル・ディスク）などの媒体を取り扱うことができる機器がある。またハードディスク或は大容量の半導体メモリを内蔵した機器がある。またハードディスク及びリムーバブルなＤＶＤなどの媒体を同時に取り扱うことができる機器がある。
【０００３】
【従来の技術】
近年、画像圧縮技術において、現在、国際規格化したＭＰＥＧ２（Ｍｏｖｉｎｇ  Ｉｍａｇｅ  Ｃｏｄｉｎｇ  Ｅｘｐｅｒｔ  Ｇｒｏｕｐ  ）方式を使用するとともに、ＡＣ３オーディオ圧縮方式を採用したＤＶＤ規格が提案された。
【０００４】
この規格は、ＭＰＥＧ２システムレイヤに従って、動画圧縮方式にＭＰＥＧ２方式をサポートし、音声圧縮方式にＡＣ３オーディオ圧縮方式及びＭＰＥＧオーディオ圧縮方式をサポートしている。さらに、映画やカラオケ等の字幕用としてビットマップデータをランレングス圧縮した副映像データを取り扱うことができるようになっている。さらに、この規格では、再生装置との関係では、早送り逆送りなどの特殊再生用コントロールデータ（ナビパック）を追加して構成されている。さらにまたこの規格では、コンピュータでディスクのデータを読むことが出来るように、ＩＳ０９６６０とマイクロＵＤＦの規格をサポートしている。
【０００５】
また、メディア自身の規格としては、ＤＶＤ−ビデオのメディアであるＤＶＤ−ＲＯＭの規格に続き、ＤＶＤ−ＲＡＭの規格（記録容量約４．７ＧＢ）も完成し、ＤＶＤ−ＲＡＭドライブもコンピュータ周辺機器として、普及し始めている。
【０００６】
さらに、現在ではＤＶＤ−ＲＡＭを利用し、リアルタイムでの情報記録再生が可能なシステムを実現するＤＶＤビデオ規格、つまりＲＴＲ（Ｒｅａｌ  Ｔｉｍｅ  Ｒｅｃｏｒｄｉｎｇ）−ＤＶＤの規格が完成しつつあり、近いうちに検証作業も終了する予定となっている。この規格は、現在発売されているＤＶＤ−ビデオの規格を元に考えられている。さらに、そのＲＴＲ−ＤＶＤに対応したファイルシステムも現在規格化されている。
【０００７】
一方では、録再装置に内蔵されたハード・ディスク装置（ＨＤＤ）を利用し、放送信号を記録再生する方式も考えられている。ハードディスク装置では１００Ｇバイト以上のデータ記録が可能である。
【０００８】
【発明が解決しようとする課題】
上記のように画像圧縮技術の発達にともない、情報記憶メディア（ＤＶＤ，ハードディスク、半導体メモリ）を放送信号などをリアルタイム録画用として有効活用した録再装置が開発されている。
【０００９】
ここで、この機器の使用形態を考えた場合、以下のような使用形態が考えられる。即ち、放送番組信号（或は他の媒体からの再生信号）が録再装置に入力され、録再装置は、番組信号を所定のフォーマットに変換して記録媒体に記録する。このような記録処理を間欠的なプログラム予約時間に行なう。また、複数の番組を一旦、内蔵の記録媒体に記録する。そして記録された番組の組み合せたり、一部削除したりして編集を行なうなどである。
【００１０】
このような使用形態を考えた場合、番組によっては、アスペクト比が異なるプログラムが配列されることもある。
【００１１】
しかしながら、ＤＶＤ−ＲＡＭを使用する機器においては、ＤＶＤ−ＲＡＭのフォーマットで規定しているアスペクト比情報と、ＭＰＥＧフォーマットで規定しているアスペクト比情報との相互の関連をどのように取り扱うかは具体的に規定していない。このために、ＤＶＤ−ＲＡＭフォーマットで規定しているビデオオブジェクトユニット単位で付加される管理情報（ナビゲーションとしてのＲＤＩパック）の中にアスペクト比情報が存在していても、そのビデオシーケンスヘッダ内のアスペクト比情報と異なる場合がある。このような矛盾があると、ビデオ再生処理を行う場合、アスペクト比の判定結果が定まらず、誤動作する場合がある。また異なるアスペクト比が設定されたまま動作する可能性がある。
【００１２】
そこでこの発明は、入力ソースに含まれるアスペクト比情報の内容に対して、ＤＶＤフォーマットで規定している所定エリア（ＲＤＩ）に記述されるアスペクト比情報の内容と、ＭＰＥＧ＿ＰＥＳフォーマットで規定している所定エリア（シーケンスヘッダ）とに記述されるアスペクト比情報の内容とに整合性が得られるようにし、機器の誤動作を防止することができるアスペクト情報整合処理機能付き録再装置を提供することを目的とする。
【００１３】
【課題を解決するための手段】
この発明は、情報まとまりの単位として、ビデオデータを圧縮したビデオ情報とビデオスクランブル制御情報を含むビデオパックと、オーディオデータを圧縮したオーディオ情報とオーディオスクランブリング情報を含むオーディオパックと、コピー制御情報（ＣＣＩ）を含む管理情報としてのユニット制御情報パック（ＲＤＩ）と、先頭に前記ユニット制御情報パックを位置させ、前記ビデオパックの１つ又は複数と前記オーディオパックの１つ又は複数とを含むビデオオブジェクトユニット（ＶＯＢＵ）と、このビデオオブジェクトユニットの１つ又は複数を含むビデオオブジェクト（ＶＯＢ）とを定義している情報録再装置および方法に適用される。
【００１４】
この発明は、入力ソースから前記ビデオパックを生成するビデオデコーダと、記入力ソースから前記オーディオパックを生成するオーディオデコーダと、前記ビデオオブジェクトユニットを生成するフォーマッタと、前記ビデオオブジェクトユニットを構築するに際して、前記入力ソースに含まれているアスペクト比情報（第３のアスペクト比情報）を検出し、前記ユニット制御情報パック内の前記第２のアスペクト比情報を、前記検出した第３のアスペクト比情報の内容に応答した内容にセットすると共に、前記セットされた前記第２のアスペクト比情報を先頭に有するビデオオブジェクトユニット内の全てのビデオパックに付帯する前記第1のアスペクト比情報の内容をそれぞれ、前記検出した第３のアスペクト比情報の内容に応答した内容に統一する制御手段と、を備える。
【００１５】
これにより、ＲＤＩに設定されたアスペクト比情報と、対応するＶＯＢＵ内のビデオデータのシーケンスヘッダのアスペクト比情報とが整合するために、再生処理機能が誤動作することが無くなる。
【００１６】
【発明の実施形態】
以下この発明の実施の形態を図面を参照して説明する。
【００１７】
図１は、この発明を適用した録再装置の一実施の形態を示す図である。この実施例は、記録媒体として、ＤＶＤ−ＲＡＭ、ハードディスクの両方を取扱うことができる録再装置として示しているが、いずれか一方のみの記録媒体を取り扱う装置に対しても本発明は適用可能である。またハードディスク或はＤＶＤ−ＲＡＭは半導体メモリによる記憶媒体に置換されてもよい。
【００１８】
図１の各ブロックを大きく分けると、左側には記録部の主なブロックを示し、右側には再生部の主なブロックを示している。
【００１９】
この情報録再装置は、ハードディスクドライブ部２００１と、ビデオファイルを構築できる情報記憶媒体である光ディスク１００１を回転駆動し、情報の読み書きを実行するディスクドライブ部１００２と、ハードディスクドライブ部２００１及びディスクドライブ部１００２に記録データを供給することができ、また、再生された信号を受け取るデータプロセッサ部１００３とを有する。データプロセッサ部１００３は、記録或は再生単位のデータを取扱うもので、バッファ回路、変調・復調回路、エラー訂正部などを含む。
【００２０】
またこの録再装置は、録画側を構成するエンコーダ部５０と、再生側を構成するデコーダ部６０と、装置本体の動作を制御するマイクロコンピュータブロック３０とを主たる構成要素としている。
【００２１】
エンコーダ部５０は、入力されたアナログビデオ信号、入力されたアナログオーディオ信号を、デジタル化するビデオ用及びオーディオ用のアナログデジタルコンバータと、ビデオエンコーダと、オーディオエンコーダとを有する。さらにまた、副映像エンコーダも含む。また各エンコーダの出力を所定のＤＶＤ−ＲＡＭのフォーマットにするフォーマッタと、バッファメモリとを備えている。エンコーダ部５０には、ＡＶ入力部４１からの外部アナログビデオ信号と外部アナログオーディオ信号、あるいはＴＶ（テレビジョン）チューナ４２からのアナログビデオ信号とアナログ音声信号が入力される。
【００２２】
尚、エンコーダ部５０は、直接デジタルビデオ信号やデジタルオーディオ信号が入力されるときは、デジタルビデオ信号やデジタルオーディオ信号を直接フォーマッタに供給している。また後述するビデオミキシング部、オーディオセレクタに各ビデオデータ、オーディオデータを供給することができる。
【００２３】
ビデオデコーダでは、デジタルビデオ信号は、ＭＰＥＧ２またはＭＰＥＧ１規格に基づいた可変ビットレートで圧縮されたデジタルビデオ信号に変換される。デジタルオーディオ信号は、ＭＰＥＧまたはＡＣ−３規格に基づいて、固定ビットレートで圧縮されたデジタルオーディオ信号またはリニアＰＣＭのデジタルオーディオ信号に変換される。
【００２４】
副映像情報がＡＶ入力部４２から入力された場合（例えば副映像信号の独立出力端子付ＤＶＤビデオプレーヤからの信号）、あるいはこのようなデータ構成のＤＶＤビデオ信号が放送され、それがＴＶチューナ４２で受信された場合は、ＤＶＤビデオ信号中の副映像信号が、副映像エンコーダでエンコード（ランレングス圧縮）され、副映像のビットマップとなる。
【００２５】
エンコードされたデジタルビデオ信号、デジタルオーディオ信号、副映像データは、フォーマッタにおいてパック化され、ビデオパック、オーディオパック、副映像パックとなり、さらにこれらが集合されて、ＤＶＤ‐レコーディング規格（例えばＤＶＤ−ＲＡＭ、ＤＶＤ‐Ｒ、ＤＶＤ−ＲＷなどの規格）で規定されたフォーマットに変換される。
【００２６】
ここで、本装置は、エンコーダ部５０でエンコードされた情報（ビデオ、オーディオ、副映像データなどのパック）及び作成された管理情報を、データプロセッサ１００３を介してハードディスク装置２００１に供給し、ハードディスクに記録することができる。またハードディスクに記録された情報を、データプロセッサ部１００３、ディスクドライブ１００２を介して光ディスク１００１に記録することもできる。これは、ハードディスクに記録されている情報が、光ディスク１００１のデータフォーマットと同じであることによる。
【００２７】
さらにまた、エンコーダ部５０でエンコードされた情報、及び、作成された管理情報をデータプロセッサ部１００３、ディスクドライブ１００２を介して、光ディスク１００１に直接記録することもできる。さらには、光ディスク１００１及びハードディスクに記録されている（ファイル或はビデオオブジェクト）を削除することもできる。
【００２８】
またハードディスク或は光ディスク１００１に記録されている複数番組のビデオオブジェクトを、一部削除したり、異なる番組のオブジェクトを繋げたり、する編集処理を行うこともできる。これは、本発明に係るフォーマットが取り扱うデータ単位（後述する）を定義し、編集を容易にしているからである。
【００２９】
なおハードディスクドライブ部２００１のハードディスクに記録されている情報が、光ディスク１００１のデータフォーマットと異なる場合は、ハードディスクから読み出した情報をエンコーダ部５０でエンコードする。そしてエンコードされた情報を光ディスク１００１に記録することができる。また、ディスクドライブ部１００２は、光ディスク１００１に対する回転制御系、レーザ駆動系、光学系などを有する。
【００３０】
マイクロコンピュータブロック３０は、ＭＰＵ（マイクロプロセシングユニット）、またはＣＰＵ（セントラルプロセシングユニット）と、制御プログラム等が書き込まれたＲＯＭと、プログラム実行に必要なワークエリアを提供するためのＲＡＭとを含んでいる。
【００３１】
マイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定等を実行する。
【００３２】
また、マイクロコンピュータブロック３０は、システム全体を制御するために必要な情報処理部を有するもので、ワークＲＡＭ、ディレクトリ検知部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部を備える。
【００３３】
ＭＰＵの実行結果のうち、ユーザに通知すべき内容は、ＤＶＤビデオレコーダの表示部４３に表示されるか、またはモニタディスプレイにＯＳＤ（オンスクリーンディスプレイ）表示される。また、マイクロコンピュータブロック３０には、この装置を操作するための操作信号を与えるキー入力部４４を有する。
【００３４】
なお、マイクロコンピュータブロック３０が、ディスクドライブ部１００２、データプロセッサ部１００３、エンコーダ部５０及び／またはデコーダ部６０等を制御するタイミングは、ＳＴＣ３８からの時間データに基づいて、実行することができる。録画や再生の動作は、通常はＳＴＣ３８からのタイムクロックに同期して実行されるが、それ以外の処理は、ＳＴＣ３８とは独立したタイミングで実行されてもよい。
【００３５】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダを有する。またデコードされた主映像データにデコードされた副映像データを適宜合成し、主映像にメニュー、ハイライトボタン、字幕やその他の副映像を重ねて出力するビデオプロセッサを備えている。
【００３６】
デコーダ部６０の出力ビデオ信号は、ビデオミクサー７１に入力される。ビデオミクサー７１では、テキストデータの合成が行われる。またビデオミクサー７１には、また、ＴＶチューナ４１やＡ／Ｖ入力部４２からの信号を直接取り込むラインも接続されている。ビデオミクサー７１には、バッファとして用いるフレームメモリ７２が接続されている。ビデオミクサー７１の出力がデジタル出力の場合は、インターフェース（Ｉ／Ｆ）７３を介して外部へ出力され、アナログ出力の場合は、デジタルアナログ変換器７４を介して外部へ出力される。
【００３７】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これにより、セレクタ７６は、ＴＶチューナ４１やＡ／Ｖ入力部４２からのデジタル信号を直接モニタするとき、エンコーダ部５０をスルーした信号を直接選択することも可能である。
【００３８】
尚、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのＩピクチャのエンドアドレス、ＶＯＢＵの再生時間などである。
【００３９】
同時に、アスペクト情報処理部からの情報を録画開始時にＭＰＵへ送り、ＭＰＵはＶＯＢストリーム情報（ＳＴＩ）を作成する。ここで、ＳＴＩは、解像度データ、アスペクトデータなどを保存し、再生時、各デコーダ部はこの情報を元に初期設定を行われる。
【００４０】
また、録再ＤＶＤでは、ビデオファイルは１ディスクに１ファイルとしている。
【００４１】
ここで、ＤＶＤを利用したリアルタイム録再機において、注意すべき点は、データをアクセスする場合、そのアクセス（シーク）している間に、とぎれないで再生を続けるために、最低限連続するセクタが必要になってくる。この単位をＣＤＡ（コンティギュアス・データ・エリア）という。つまりシームレス再生を実現するために予め取り決められているデータサイズである。
【００４２】
このＣＤＡは、ＥＣＣ（エラー訂正コード）ブロック単位となっている方が有利である。そのため、ＣＤＡサイズは１６セクタの倍数にし、ファイルシステムでは、このＣＤＡ単位で記録を行っている。データプロセッサ部１００３は、エンコーダ部５０のフォーマッタからＶＯＢＵ単位のデータを受け取り、ＣＤＡ単位のデータを、ディスクドライブ部１００２に供給している。またマイクロコンピュータブロック３０のＭＰＵは、記録したデータを再生するのに必要な管理情報を作成し、データ記録終了のコマンドを認識すると、作成した管理情報をデータ処理部１００３におくる。これにより、管理情報がディスクに記録される。したがって、エンコードが行なわれているとき、エンコーダ部５０からマイクロコンピュータブロック３０のＭＰＵは、データ単位の情報（切り分け情報など）を受け取る。また、マイクロコンピュータブロック３０のＭＰＵは、記録開始時には、ディスクから読み取った管理情報（ファイルシステム）を認識し、ディスクの未記録エリアを認識し、データの記録エリアをデータプロセッサ部１００３を介してディスクに設定している。
【００４３】
ここで、リアルタイムＤＶＤの管理情報と、コンテンツであるビデオオブジェクトとの関係を簡単に説明する。
【００４４】
図２において、まずビデオオブジェクト（ＶＯＢ）について説明する。ＶＯＢはディレクトリーでは、ＶＲ＿ＭＯＶＩＥ．ＶＲＯファイルと称される。ビデオファイルは、階層構造であり、１つのファイルは、１つ又は複数のＶＯＢ（ビデオオブジェクト）で構成され、１つのＶＯＢは、１つ又は複数のＶＯＢＵ（ビデオオブジェクトユニット）で構成され、１つのＶＯＢＵは、複数パックから構成される。複数のパックとしては、ＲＤＩパック、Ｖ（ビデオ）パック、Ａ（オーディオ）パック等が存在する。副映像パック（ＳＰパック）が存在してもよい。
【００４５】
ＲＤＩパックは、ユニット制御情報パック、或はナビゲーション情報パック、或はリアルタイムデータ情報パック（ＲＤＩ＿ＰＣＫ）と称される。このパックには、これが属するＶＯＢＵの最初のフィールドが再生される開始時間を示す情報、当該ＶＯＢＵの記録時を示す情報、製造者情報（ＭＮＦＩ）などを含む。また、ディスプレイ制御情報（ＤＣＩ）及びコピーコントロール情報（ＣＣＩ）を含む。ディスプレイ制御情報は、アスペクト比情報、サブタイトルモード情報、フィルムカメラモード情報を示す。コピーコントロール情報（ＣＣＩ）は、コピー許可情報（０，０）、またはコピー禁止（コピー否許可）情報（１，１）を含む。
【００４６】
Ｖパックは、ビデオデータがＭＰＥＧ２の方式で圧縮されたもので、パックヘッダ、パケットヘッダ、ビデオデータ部で構成される。Ａパックは、オーディオデータが、例えばリニアＰＣＭあるいはＭＰＥＧ，あるいはＡＣ３などの方式で処理されたものであり、パックヘッダ、パケットヘッダ、オーディオデータ部で構成される。
【００４７】
管理情報は、ビデオマネージャー（ＶＭＧ）と称され、その中にデータ再生順序を管理するプログラムチェーン（ＰＧＣ）が定義されている。このプログラムチェーン（ＰＧＣ）には、セル（Ｃｅｌｌ）が定義され、さらにセル（Ｃｅｌｌ）には、再生すべき対象となるビデオオブジェクト（ＶＯＢ）の情報であるビデオオブジェクト情報（ＶＯＢＩ）が定義される。ＰＧＣの具体的情報を記録してある部分がプログラムチェーン情報（ＰＧＣＩ）部分である。ＰＧＣＩには、２種類が存在し、１つはオリジナルＰＧＣＩ（ＯＲＧ＿ＰＧＣＩ），もう１つはユーザディファインドＰＧＣテーブル（ＵＤ＿ＰＧＣＩＴ）である。
【００４８】
ＶＯＢＩ内には、タイムマップ（ＴＭＡＰ）が記述されており、このＴＭＡＰは、ＶＯＢＩに対応するＶＯＢを構成しているＶＯＢＵを指定することができる。セルからＶＯＢＩへのリンクは、論理アドレスで特定されている。また、ＴＭＡＰ情報からＶＯＢ及びＶＯＢＵへのリンクは、ＶＯＢのストリーム番号、このＶＯＢ内のＶＯＢＵの数、各ＶＯＢＵに対するエントリー番号、各ターゲットＶＯＢＵへの論理アドレスに基づいて行なわれている。
【００４９】
図３（Ａ）は、上記したリアルタイムデータ情報パック（ＲＤＩ＿ＰＣＫ）に含まれるリアルタイム情報（ＲＤＩ）のデータ構造を示している。ＲＤＩは、図３（Ｂ）のように、ＲＤＩ一般情報（ＲＤＩ＿ＧＩ）、ディスプレイ制御情報及びコピー制御情報（ＤＣＩ＿ＣＣＩ）、製造者情報（ＭＮＦＩ）を含む。ＲＤＩ＿ＧＩは、このＲＤＩが属するＶＯＢＵの最初のビデオフィールドのプレゼンテーション開始時間（ＶＯＢＵ＿Ｓ＿ＰＴＭ）、ＶＯＢＵ記録時間（ＶＯＢＵ＿ＲＥＣ＿Ｔ）を含む。ディスプレイ制御情報（ＤＣＩ）は、図３（Ｃ）に示すように、アスペクト比情報：４ビット、サブタイトル（字幕）情報：２ビット、予約：１ビット、フィルムカメラモード：１ビットからなる。
【００５０】
ビデオのアスペクト比４：３のとき００００、１６：９のとき０００１である。またソースがレターボックスであるときは、００００、０００１を除く値が用いられ、符号化されたビデオは４：３である。字幕情報に関して、字幕が画像内に位置するときは０１、画像の外に位置するときは１０である。フィルムカメラモード情報は、カメラモードのとき１、フィルムモードのとき０である。
【００５１】
上記したコピー制御情報ＣＣＩは、図３（Ｄ）に示すように、コピー世代管理システム（ＣＧＭＳ）情報２ビットが含まれる。この情報が００のときはコピー許可、１１のときはコピー禁止（非許可）であることを示す。
【００５２】
図４には、ビデオパック、オーディオパック及び副映像パックのそれぞれに含まれるパケットヘッダの内容を示している。パックはパックヘッダを有する。パックヘッダにはシステムクロックリファレンスが記述され、装置内のシステムクロックと比較され、装置内でパック単位で取り扱われるタイミング情報として用いられる。パックヘッダの後にパケットヘッダが存在し、次にビデオデータ或はオーディオデータ或は副映像データが存在する。
【００５３】
パケットヘッダには、パケットスタートコード、ビデオストリーム、オーディオストリーム、副映像ストリームの識別情報であるストリームＩＤが記述されている。またパケットヘッダには、ＰＥＳ（パケットエレメンタリーストリーム）スクランブリング制御情報（スクランブルがかかっているかどうかを基本的に示す）、著作権情報、オリジナルかコピーしたものであるかを示す情報が配置可能になっている。さらにまた、再生出力を、関連するストリーム（ビデオ、オーディオ、副映像）間で同期して出力するためのプレゼンテーション時間情報（タイムスタンプ）が記述されている。
【００５４】
図５（Ａ）−図５（Ｄ）は、現在放送信号に関して規定されているコピー世代管理システムのデータ構造であって特にＳＧＭＳを説明するために示している。
【００５５】
通常、放送されるビデオ信号の垂直ブランキング期間（ＶＢＩ）には、ＶＢＩＤと称されるデータが多重されることがある。
【００５６】
このＶＢＩＤは、多重されているビデオ信号がどのような信号であるかを示す情報として用いられている。放送信号及び情報としては、以下のようなものがある。
【００５７】
（ａ）スクィーズ（又はフルモード信号）  →  ５２５ライン、アスペクト比４：３の標準テレビ信号形式上に５２５ライン、アスペクト比１６：９の映像の情報を乗せた信号。
【００５８】
（ｂ）アスペクト比４：３のレターボックス信号  →  ５２５ライン、アスペクト比４：３であり、上下に無画部があり、中央に主画部が存在するワイド画像の信号。
【００５９】
（ｃ）３Ｄ情報  →  ３次元立体表示に関する信号形式等の情報。
【００６０】
（ｄ）プルダウン情報  →  ２４コマのエイゾや３０コマのＣＭ用フィルムをビデオ信号に変換するときに、同一のコマからの画像かどうかを識別するための情報。
【００６１】
（ｅ）  頭出し情報  →  ＶＴＲ等で再生する位置の目印となる一つ又は複数個のインデックス情報。
【００６２】
上記の情報は、第２０ライン及び第２８３ラインに多重されている。ＶＢＩＤの最初のワード（４ビット）（ワード０と称される）のうち、最初の２ビットが００のときはアスペクト比４：３の画像又は情報無しを意味し、１０のときはアスペクト比１６：９の画像のスクイーズ信号、０１のときはアスペクト比４：３のレターボックス信号、１１のときは特に規定無し、を意味する。
【００６３】
したがって、上記のＶＢＩＤのワード０の最初の２ビットを検出すると、ビデオ信号のアスペクト比を検出することができる。
【００６４】
但し、ワード０（２ビット）の次に配列される４ビット（ワード１）がオール０の場合には、このＶＢＤＩは、この情報は、ＣＧＭＳとして用いられていることを意味する。
【００６５】
以下、ＣＧＭＳについて説明する。このＣＧＭＳは、テレビジョン信号の垂直ブランキング期間の第２０番目の水平期間（図５（Ａ）参照）に挿入されており、２０ビットの情報（図５（Ｂ）参照）である。最初の第１、第２番目の２ビットは、ワード０として用いられ、次の第３から第６番目の４ビットのワード１は、００００であり、コピー世代コントロール情報が次に存在することを示している。さらに次の第７番目から第１４番目がワード２として定義されている。次の第１５番目から第２０番目がＣＲＣＣ、つまりエラーコレクションコードである。
【００６６】
ここで、第７と第８番目の２ビットがＣＧＭＳデータであり、図５（Ｃ）のように定義されている。０，０の場合は、制約条件なしにコピー可能であることを意味し、１，０の場合は１世代のみコピー可能であるこを意味し、１，１の場合は、コピー禁止であることを意味する。
【００６７】
したがって、記録装置側ではこのＣＧＭＳを参照して、記録メディアに当該ビデオ信号を記録する場合には、図５（Ｃ）に示すような対応を行なうことができる。即ち、第７、第８番目のビット内容が０，０（コピー許可情報）のときは、図３（Ｄ）に示したＣＧＭＳの内容を０，０（コピー許可情報）にし、また、第７、第８番目のビット内容が１，０（１世代のみコピー許可情報）又は１，１（コピー禁止情報）のときは、いずれの場合も図３（Ｄ）に示したＲＤＩ内のＣＧＭＳの内容を１，１（コピー禁止情報）にする。また、当該ＲＤＩを先頭に有するＶＯＢＵ内の各パケットヘッダのスクランブリング制御情報も、全て当該ＲＤＩ内のＣＧＭＳ内容と同一内容になるように統一するものである。
【００６８】
さらに、先に説明したように、テレビ信号において通常は、ワード０のデータ２ビットは、送られてきたＴＶ信号のアスペクト比情報として用いられる。そしてこの２ビットは、図５（Ｄ）に示すように定義されている。即ち、０，０はアスペクト比３：４画像の信号又は情報なし、１，０は、アスペクト比１６：９画像のスクイーズ信号、０，１はアスペクト比４：３のレターボックス信号である。１，１は使用しない。
【００６９】
したがって、上記の入力テレビジョン信号を処理する録再装置は、このワード０を参照して、記録メディアに当該ビデオ信号を記録する場合には、図５（Ｄ）に示す内容に応じた対応を行なう。即ち、アスペクト比情報と、ＲＤＩ内のＤＣＩに含まれるアスペクト比情報とを同一内容に設定する。さらに、このＲＤＩが先頭に配置されたＶＯＢＵ内のＭＰＥＧ規格に基づく圧縮ビデオ信号のシーケンスヘッダ内のアスペクト比情報を、ＤＣＩ内のアスペクト比情報の内容に対応した内容とする。
【００７０】
図６には、上記した入力テレビ信号内のアスペクト比情報を参照して、ＲＤＩ内のアスペクト比情報（図３（Ｃ）参照）と、圧縮ビデオ信号のシーケンスヘッダに含まれるアスペクト比情報を統一化するための動作フローを示している。
【００７１】
この処理手順を記述したプログラムは、図１に示したマイクロコンピュータブロック３０内にセットされている。外部からのテレビジョン信号から垂直ブランキング期間の特定の水平期間に挿入されているデータ（CGMS）を取り込むする（ステップB1）。次にアスペクト比情報の内容を判定する（ステップB2、B３、B４、B５）。そしてアスペクト比情報を一時記憶する。次に、エンコード処理が進みRDIパックがフォーマッタで生成されたかどうかを確認する（ステップB６）。RDIパックが確認されたならば（ステップB７）、そのRDIパック内のDCIのアスペクト比情報を、先に一時格納していたアスペクト比情報の内容に適応した内容にする（ステップB８）。この変換規則は、図５（Ｄ）に示したとおりである。
【００７２】
即ち、基本的には、入力ソースのワード０の判定結果が０，０のときは４：３の信号であるから、ＲＤＩのアスペクト比情報を０，０，０，０にセットし、判定結果が１，０のときは１６：９の信号であるから、ＲＤＩのアスペクト比情報を０，０，０，１にセットする。また判定結果が０，１ときはアスペクト比４：３のレターボックス信号であるから、基本的には、ＲＤＩのアスペクト比情報を０，０，０，０にセットする。
【００７３】
さらに、このＲＤＩを含むＶＯＢＵ内のビデオパックが有するシーケンスヘッダ内のアスペクト比情報に関しても、ＲＤＩの場合と同様に統一化する（ステップＢ９）。この処理は、次のＲＤＩパックが発生するまでは、当該ＶＯＢＵ内の全てのビデオパックについて実行され、コピー制御情報とスクランブリング制御情報との統一化を行なう。
【００７４】
図７には、上記の処理を行った場合、図１のエンコーダ部５０内のフォーマッタでビデオ情報がフォーマット化され配列される様子を時間の経過と共に示している。ビデオパック（Ｖ＿ＰＣＫ）を複数集合してＭＰＥＧフォーマットの形式でみると、そのビデオパックのデータ部は、シーケンスヘッダと、ＧＯＰヘッダと、圧縮処理されたＩピクチャー、Ｂピクチャーなどで構成されている。
【００７５】
今、第1のVOBU＃１の先頭のRDIパックのアスペクト比情報が０，０であり、このVOBU＃１に含まれる圧縮ビデオ信号のシーケンスヘッダのアスペクト比情報も０，０，０，０になるように処理されているものとする。このVOBU＃１が処理されている途中で、エンコーダ部５０への入力ビデオ信号のワード０が１，０又は１，１に変化したとする。すると、本発明のコピー及びスクランブリング情報処理部は、ワード０の内容変化を検知する。そして、次のVOBU＃２を作成するときに、その先頭に配置するRDI内のＤＣＩの内容を０，０，０，１（１６：９）にする。また、これ以降のシーケンスヘッダのアスペクト比情報も０，０，０，１になるように処理される。
【００７６】
なお上記の説明では、基本的な処理として、入力ソースのワード０の判定結果が０，０（４：３を示す）のときは、ＲＤＩのアスペクト比情報を０，０，０，０にセットし、判定結果が１，０（１６：９を示す）のときは、ＲＤＩのアスペクト比情報を０，０，０，１にセットするとした。しかし、モニタしているユーザ設定により、さらに細かく設定するようにしてもよい。例えばレターボックスの場合は、１０００、０１００、１１０１、００１０、１０１１、０１１１のようにいずれかがセットされるようにしても良い。この場合もＭＰＥＧ圧縮されたビデオデータのシーケンスヘッダのアスペクト比情報も、対応するＲＤＩのアスペクト比情報と同様にセットされる。
【００７７】
上記したようにこの発明では、コピー制御情報やアスペクト比情報がビデオオブジェクトユニット単位で統一化される。このために、再生方法及び再生処理装置では、シーケンスヘッダのみのアスペクト比情報の内容に応じて、当該シーケンスヘッダが属するビデオオブジェクトユニットのビデオデコード出力のアスペクト比を設定するようにしてもよい。これにより、装置全体の情報判定機能を簡素化することも可能となる。またコピー可否情報の判定についても同様である。
【００７８】
この発明の思想は、上記の実施の形態に限定されるものではない。
【００７９】
上記の実施の形態では、コピー関連情報を統一化するのに、ユニット制御情報（ＲＤＩ）内のもの（コピー制御情報）とパケットヘッダ内のもの（スクランブリング制御情報）とを統一化した。また、アスペクト比情報を統一化するのに、ユニット制御情報（ＲＤＩ）内のもの（アスペクト比情報）とシーケンスヘッダ内のもの（アスペクト比情報）とを統一化した。
【００８０】
しかし、コピーに関する関連情報や、アスペクト比情報は、ＤＶＤレコーディング規格においては、ＶＯＢ単位の管理情報（Ｍ＿ＶＯＢ＿ＳＴＩ：ムビービデオオブジェクトストリーム情報）の中、さらにビデオファイル全体を管理する管理情報（ファイルシステムにおける属性情報）の中にも存在する。
【００８１】
そこで、次の実施の形態は、上記の実施の形態に加えて、ＶＯＢ単位でコピー関連情報やアスペクト比情報を統一化する実施の形態を説明することにする。
【００８２】
まず、記録再生可能なＤＶＤにおけるディレクトリー構造について説明する。
【００８３】
図８に示すように、ＤＶＤシステムでは、ディスクのビデオ情報を管理するための情報とビデオ情報内のタイトルを管理するための情報とが、一体化され、ビデオマネージャー情報（ＶＭＧＩ）として定義されている。
【００８４】
ディレクトリー「ＤＶＤ＿ＲＴＡＶ」内には、ビデオマネジャーファイルとしてのＶＲ＿ＭＡＮＧＲ．ＩＦＯ、ムービービデオファイルとしてのＶＲ＿ＭＯＶＩＥ．ＶＲＯ、スチルピクチャービデオファイルとしてのＶＲ＿ＳＴＩＬＬ．ＶＲＯ、付加オーディオファイルとしてのＶＲ＿ＡＵＤＩＯ．ＶＲＯ、ビデオマネジャーのバックアップとしてのＶＲ＿ＭＡＮＡＧＲ．ＢＵＰの各ファイルが存在する。
【００８５】
上記のＶＲ＿ＭＡＮＥＧＥＲ．ＩＦＯファイルには、ナビゲーションデータが記録されるもので、このナビゲーションデータは、プログラムセット、プログラム、エントリーポイント、プレイリストなどを進行させるためのデータである。
【００８６】
ＶＲ＿ＭＯＶＩＥ．ＶＲＯファイルは、ムービービデオオブジェクト（ムービーＶＯＢ）を記録するためのいわゆるムービーＡＶファイルである。
【００８７】
ＶＲ＿ＳＴＩＬＬ．ＶＲＯは、スチルピクチャーＶＯＢを記録するためのスチルピクチャＡＶファイルである。
【００８８】
またＶＲ＿ＡＵＤＩＯ．ＶＲＯは、スチルピクチャーに対する付加オーディオストリームを記録するためのスチルピクチャー付加オーディオファイルである。
【００８９】
ＶＲ＿ＭＯＶＩＥ．ＶＲＯは、任意のサブピクチャーユニットを含むビデオパートで構成されるオリジナルＶＯＢを記録するために用いられる。またこのとき、ビデオパートに関連したオーディオパートもオリジナルＶＯＢに含まる。
【００９０】
ＶＲ＿ＡＵＤＩＯ．ＶＲＯは、付加オーディオパートを記録するために用いられるファイルであり、この付加オーディオパートは、アフターレコーディングにより記録されたオーディオストリームを示す。ＶＲ＿ＡＵＤＩＯ．ＶＲＯに記録されたオーディオパートは、ＶＲ＿ＳＴＩＬＬ．ＶＲＯに記録された幾つかのビデオパートとの組み合せで使用される。ＶＲ＿ＭＡＮＧＲ．ＢＵＰは、ＶＲ＿ＭＡＮＧＲ．ＩＦＯのバックアップファイルである。
【００９１】
上記のようにディスクにおいては、ファイル単位の管理が行なわれ、そのファイル構成の情報は、ディスク上において論理ブロック番号が付された領域に記述されている。論理ブロック番号（ＬＢＮ）は、ディスク上の物理アドレスを示すロジカルセクター番号（ＬＳＮ）の例えば８５７６番目から開始されている。
【００９２】
図９には、ファイルＶＲ＿ＭＡＮＧＲ．ＩＦＯにおいて管理される管理情報（ビデオ、オーディオなどを記録、再生するために用いるナビゲーションデータとも称される）を階層的に示している。この管理情報は、リアルタイムレコーディングビデオマネージャ（ＲＴＲ＿ＶＭＧ）を含む。このＲＴＲ＿ＶＭＧは、ＲＴＲビデオマネージャー情報（ＲＴＲ＿ＶＭＧＩ）、ムビーＡＶファイル情報テーブル（Ｍ＿ＡＶＦＩＴ）、スチルピッチャーＡＶファイル情報テーブル（Ｓ＿ＡＶＦＩＴ）、オリジナルＰＧＣ情報（ＯＲＧ＿ＰＧＣＩ）、ユーザ定義ＰＧＣ情報テーブル（ＵＤ＿ＰＧＣＩＴ），テキストデータマネージャー（ＴＸＴＤＴ＿ＭＧ）、製作者情報テーブル（ＭＮＦＩＴ）を含む。
【００９３】
ＲＴＲ＿ＶＭＧＩには、このマネージャーの識別子、マネージャーの開始及び終了アドレス、バージョン情報、ディスクが使用されたときの時間を設定するためのタイムゾーン、再生が終了したときにスチルピクチャーを表示するための時間を示すスチル時間、テキスト情報として用いられる文字コードの情報、途中再生を中断したときの中断位置情報を示すレジュームマーカー、ディスク代表画像の情報、ディスク代表名の情報、等が記述されている。
【００９４】
Ｍ＿ＡＶＦＩＴ内には、Ｍ＿ＡＶＦＩＴ情報、各ストリームのムービービデオオブジェクトストリーム情報（Ｍ＿ＶＯＢ＿ＳＴＩ＃１〜＃ｎ）、ムービーＡＶファイル情報（Ｍ＿ＡＶＦＩ）が記述されている。これらはビデオオブジェクト管理情報として用いられる。
【００９５】
Ｍ＿ＡＶＦＩＴ情報には、Ｍ＿ＶＯＢ＿ＳＴＩの数が記述されている。またＭ＿ＶＯＢ＿ＳＴＩには、ＶＯＢのビデオ属性（Ｖ＿ＡＴＲ）、オーディオストリーム数（ＡＳＴ＿Ｎｓ）等が記述されている。そしてＶ＿ＡＲＴには、アスペクト比情報を記述することができる。
【００９６】
つまり、管理情報においては、ビデオオブジェクト（ＶＯＢ）単位でアスペクト比情報を管理可能となっている。ＶＯＢはＶＯＢＵを複数含むことができる。
【００９７】
そこで、この発明は、ＶＯＢ単位でのアスペクト比情報と、ＶＯＢＵ単位でのアスペクト比情報とを統一化できる手段を設けている。以下、その動作フローを説明する。
【００９８】
図１０は、アスペクト比情報の統一化手段の他の例を説明するために示すフローチャートである。ステップＢ９までは、図６の説明と同じである。
【００９９】
外部からのテレビジョン信号から垂直ブランキング期間の特定の水平期間に挿入されているデータを取り込む（ステップB1）。次にアスペクト比連情報の内容を判定する（ステップB2、B３、B４、B５）。そしてアスペクト比情報を一時記憶する。次に、エンコード処理が進みRDIパックがフォーマッタで生成されたかどうかを確認する（ステップB６）。RDIパックが確認されたならば（ステップB７）、そのRDIパック内のDCIのアスペクト比情報を、先に一時格納していたアスペクト比情報の内容に適応した内容にする（ステップB８）。この変換規則は、図５（Ｄ）に示したとおりである。
【０１００】
即ち、入力ソースのワード０の判定結果が０，０のときは４：３の信号であるから、ＲＤＩのアスペクト比情報を０，０，０，０にセットし、判定結果が１，０のときは１６：９の信号であるから、ＲＤＩのアスペクト比情報を０，０，０，１にセットする。また判定結果が０，１ときはアスペクト比４：３のレターボックス信号であるから、基本的には、ＲＤＩのアスペクト比情報を０，０，０，０にセットする。
【０１０１】
さらに、このＲＤＩを含むＶＯＢＵ内のビデオパックが有するシーケンスヘッダ内のアスペクト比情報に関しても、ＲＤＩの場合と同様に統一化する（ステップＢ９）。この処理は、次のＲＤＩパックが発生するまでは、当該ＶＯＢＵ内の全てのビデオパックについて実行され、コピー制御情報とスクランブリング制御情報との統一化を行なう。
【０１０２】
次にこのシステムでは、ステップＢ８で決定したＲＤＩ＿ＣＣＩの内容を各ＶＯＢＵ単位ごとにカウントし、蓄積する。つまり、アスペクト比として４：３を設定したＶＯＢＵ数（ＲＤＩ数）と、１６：９を設定したＶＯＢＵ数（ＲＤＩ数）をそれぞれ累積する（ステップ１０）。次に、ステップＢ１１で録画終了操作（或は予約時間のために自動録画終了）されたかどうかを判定する。録画終了でない場合には、ステップＡ１に戻る。しかし録画終了の場合には、４：３を設定したＶＯＢＵ数と、１６：９を設定したＶＯＢＵ数のいずれが多いかを判定する（ステップＢ１１）。
【０１０３】
ここで、４：３を設定したＶＯＢＵ数が多い場合には、上記したＶ＿ＡＴＲに４：３に対応する００が記述される。逆に１６：９を設定したＶＯＢＵ数が多い場合には、Ａ＿ＡＴＲに１６：３に対応する０１が記述される。
【０１０４】
これにより、ＶＯＢＵ単位でのアスペクト比情報の管理を行なうことが可能となる。
【０１０５】
【発明の効果】
上記したようにこの発明によれば、入力ソースに含まれるアスペクト比情報の内容に対して、ＤＶＤフォーマットで規定している所定エリア（ＲＤＩ）に記述されるアスペクト比情報の内容と、ＭＰＥＧ＿ＰＥＳフォーマットで規定している所定エリア（シーケンスヘッダ）とに記述されるアスペクト比情報の内容とに整合性が得られるようにし、機器の誤動作を防止することができる。
【図面の簡単な説明】
【図１】この発明を適用した情報録再装置の構成例を示す図。
【図２】ＤＶＤ−ＲＡＭで採用されているデータフォーマットを簡単に示す説明図。
【図３】ＤＶＤ−ＲＡＭで採用されているビデオオブジェクトユニットの先頭に配置されるリアルタイムレコーディング情報（ＲＤＩ）のデータ構造を示す説明図。
【図４】ＤＶＤ規格で定められているビデオパケット、オーディオパケット、副映像パケットのパケットヘッダの情報を説明するために示した説明図。
【図５】テレビジョン信号の垂直ブランキング期間に挿入されている情報説明図。
【図６】本発明の装置によるアスペクト比情報の処理手順の例を示す説明図。
【図７】図６に示したアスペクト比情報の処理手順により、ビデオオブジェクトのアスペクト比情報が書き換え処理される様子を時間の経過とともに示す説明図。
【図８】ＤＶＤシステムにおけるディレクトリー構造を説明するために示した説明図。
【図９】ＤＶＤレコーディング規格におけるリアルタイムレコーディングマネージャーのデータ構造を階層的に示し、特にビデオアトリビュートの構成を示す説明図。
【図１０】本発明の装置によるアスペクト比情報の第２の処理手順の例を示す説明図。
【符号の説明】
３０…マイクロコンピュータブロック、４１…Ａ／Ｖ入力部、４２…ＴＶチューナ、４３…表示部、４４…キー入力部、５０…エンコーダ部、６０…デコーダ部、７１…ビデオミクサー、７２…フレームメモリ、７３…インターフェース、７４、７７…デジタルアナログ変換器、７６…セレクタ、１００１…光ディスク、１００２…ディスクドライブ部、１００３…データプロセッサ部、２００１…ハードディスク装置。
【図１】
0003607627.tif 000002
【図２】
0003607627.tif 000003
【図３】
0003607627.tif 000004
【図４】
0003607627.tif 000005
【図５】
0003607627.tif 000006
【図６】
0003607627.tif 000007
【図７】
0003607627.tif 000008
【図８】
0003607627.tif 000009
【図９】
0003607627.tif 000010
【図１０】
0003607627.tif 000011